(57)【要約】【課題】  耳の形状に合わせた安定した装着を可能とするとともに、装着時において装飾体を十分に引き立たせることが可能なイヤリングを提供する。【解決手段】  このイヤリング１は、装飾体Ｐを取り付けるためのピン部材６が遊端側に設けられた装飾体取付金具２と、装飾体取付金具２の基端側に連結されたパッド３とで耳を挟みこむイヤリングであって、装飾体取付金具２は、略Ｌ字型形状を有すると共に、パッド３に対して回動可能に連結され、装飾体取付金具２とパッド３とは、装飾体取付金具２の遊端をパッド３に向けて付勢する連結部１３を介して連結され、装飾体取付金具２がパッド３に接近した状態で、パッド３の中心部と連結部１３とを結ぶ直線Ａとピン部材６とのなす角は、装飾体取付金具１３の開く方向において鋭角である。【選択図】  図１
2006094968.tif 000002
【特許請求の範囲】
【請求項１】
装飾体を取り付けるためのピン部材が遊端側に設けられた装飾体取付部と、前記装飾体取付部の基端側に連結された押圧部とで耳を挟みこむイヤリングであって、
前記装飾体取付部は、略Ｌ字型形状を有すると共に、前記押圧部に対して回動可能に連結され、
前記装飾体取付部と前記押圧部とは、前記装飾体取付部の前記遊端を前記押圧部に向けて付勢する連結部を介して連結され、
前記装飾体取付部が前記押圧部に接近した状態で、前記押圧部の中心部と前記連結部とを結ぶ直線と前記ピン部材とのなす角は、前記装飾体取付部の開く方向において鋭角である、
ことを特徴とするイヤリング。
【請求項２】
前記装飾体取付部の遊端側の裏面には凸部が形成されていることを特徴とする請求項１記載のイヤリング。
【請求項３】
前記押圧部は、弾性を有するループ状のワイヤによって保持されており、
前記連結部には、前記ワイヤの両端を支持する一対の軸受部と、前記軸受部間で軸線方向の幅が外側よりも内側で広く形成されているガイド溝とが設けられている、
ことを特徴とする請求項１又は２記載のイヤリング。
【請求項４】
前記押圧部は、弾性を有する材料によって形成されていることを特徴とする請求項１〜３のいずれか１項に記載のイヤリング。
【発明の詳細な説明】
【技術分野】
【０００１】
本発明は、装飾体を耳に装着させるためのイヤリングに関するものである。
【背景技術】
【０００２】
真珠等の装飾体を耳に装着する際に使用される従来のイヤリングは、Ｕ字型に成形された金属製支持台と、その支持台に取り付けられたバネ部材と、ネジ部材等を含む圧着部とで構成され、支持台と圧着部とで耳たぶを挟み込むことができる。このようなイヤリングの構造としては、例えば下記特許文献１に開示されている。このイヤリングにおいては、金属部材に円筒状の台座を設け、その台座に装飾体を固定することによって耳たぶから金属部材が外側へ露出することを最小限にしている。
【０００３】
一方、下記特許文献２記載のイヤリングにおいては、装飾体に差し込まれた金属線材（芯）は耳たぶの外形に合わせた形に湾曲され、線材全体のバネ性を利用して耳たぶを把持させることにより、装飾体を耳たぶの下部に装着することができる。
【特許文献１】実用新案登録第３１０２５４１号公報
【特許文献２】実用新案登録第３０２６９３０号公報
【発明の開示】
【発明が解決しようとする課題】
【０００４】
しかしながら、上記特許文献１記載のイヤリングでは、台座からＵ字型に延びる金属部材を、装飾体によって完全に隠すことは困難であった。すなわち、金属部材を完全に隠すためには、金属部材が台座から下方に向けて突出する長さを短くする必要があるが、その長さを短くするとイヤリングが耳たぶから脱落しやすくなるという問題が発生する。その一方で、イヤリングを装着させる際に、装飾体をできるだけ耳たぶの最下部に近いところに装着させて、装飾体を引き立たせたいというニーズは大きい。
【０００５】
また、上記特許文献２記載のイヤリングは、金属線材全体によって耳たぶに装着されるため、耳たぶの形状の違いに対応してイヤリングの耳たぶに対する把持力を確保することが困難であった。
【０００６】
そこで、本発明は、かかる課題に鑑みて為されたものであり、耳の形状に合わせた安定した装着を可能とするとともに、装着時において装飾体を十分に引き立たせることが可能なイヤリングを提供することを目的とする。
【課題を解決するための手段】
【０００７】
上記課題を解決するため、本発明のイヤリングは、装飾体を取り付けるためのピン部材が遊端側に設けられた装飾体取付部と、装飾体取付部の基端側に連結された押圧部とで耳を挟みこむイヤリングであって、装飾体取付部は、略Ｌ字型形状を有すると共に、押圧部に対して回動可能に連結され、装飾体取付部と押圧部とは、装飾体取付部の遊端を押圧部に向けて付勢する連結部を介して連結され、装飾体取付部が押圧部に接近した状態で、押圧部の中心部と連結部とを結ぶ直線とピン部材とのなす角は、装飾体取付部の開く方向において鋭角であることを特徴とする。
【０００８】
このようなイヤリングにおいては、略Ｌ字型の装飾体取付部の遊端側のピン部材に装飾体が取り付けられ、その装飾体取付部は、その基端側において押圧部に対して回動可能に連結されている。この場合、装飾体取付部と押圧部とは、装飾体取付部の遊端を押圧部に向けて付勢する連結部を介して連結されている。このような構成により、装飾体取付部を装飾体に対して相対的に小型化した場合であっても、装飾体取付部と押圧部との間で耳を把持することができる。従って、人によって耳の形状は異なっているが、そのような場合でも耳の縁部に近い箇所での装飾体の安定した装着が可能となる。さらに、ピン部材は、装飾体取付部が押圧部に接近した状態で、押圧部の中心部と連結部を結ぶ直線に対して、開く方向において鋭角になるように取り付けられている。従って、装飾体取付部が開いた状態で耳にイヤリングが装着されると、装飾体取付部は装飾体の背後に隠れるようになるので、装飾体が引き立つことになる。
【０００９】
また、装飾体取付部の遊端側の裏面には凸部が形成されていることが好ましい。このような凸部を備えると、装着時において装飾体取付部を耳にしっかり固定することができる。しかも、押圧部の中心部と連結部を結ぶ直線に対するピン部材の開く方向の角度を大きくすることができるので、装飾体取付部が装飾体の背後により一層隠れることになる。
【００１０】
さらに、押圧部は、弾性を有するループ状のワイヤによって保持されており、連結部には、ワイヤの両端を支持する一対の軸受部と、軸受部間で軸線方向の幅が外側よりも内側で広く形成されているガイド溝とが設けられていることも好ましい。このような構成とすれば、連結部でのバネ構造を簡素化することができる。
【００１１】
また、押圧部は、弾性を有する材料によって形成されていることも好ましい。このように弾性を有する押圧部と付勢力を与える連結部との協働により、イヤリングの安定した装着が可能となるとともに、耳へ装着感が向上する。
【発明の効果】
【００１２】
本発明のイヤリングによれば、耳の形状に合わせた安定した装着を可能とするとともに、装着時において装飾体を十分に引き立たせることができる。
【発明を実施するための最良の形態】
【００１３】
以下、図面を参照しつつ本発明に係るイヤリングの好適な実施形態について詳細に説明する。
【００１４】
図１に示すイヤリング１は、真珠等の装飾体を耳たぶや耳殻に対して固定する際に使用されるものである。同図に示すように、イヤリング１は、金属材料（例えば金を主成分とする合金）からなって装飾体を取り付けるための装飾体取付金具２と、この装飾体取付金具２に連結されたパッド（押圧部）３とを有している。ここで、装飾体取付金具２は、その基端側において、円筒状の一対の軸受部４ａ，４ｂを有し、パッド３に巻き付けられたワイヤ５が軸受部４ａ，４ｂによって支持されることにより、装飾体取付金具２とパッド３とが連結されている。
【００１５】
装飾体取付金具２は略Ｌ字型形状を有しており、その遊端側には装飾体を取り付けるためのピン部材６が立設されている。ピン部材６は、装飾体取付金具２の遊端側の表面に形成された窪み部７に設けられている。このピン部材６は、例えば１粒の球形の真珠を装飾体取付金具２上で固定するために用いられる。また、この窪み部７は、ピン部材６に装飾体を取り付ける際に、装飾体を安定して固定させるためのものである。
【００１６】
また、図２に示すように、装飾体取付金具２の遊端側の裏面において、すなわちピン部材６と対向する面には、装飾体取付金具２の長手方向に対して傾斜する傾斜面９を有する凸部８が形成されている。更に、装飾体取付金具２の基端側に設けられた一対の軸受部４ａ，４ｂの間には、軸受部４ａ，４ｂの中空部に向けて貫通するガイド溝１０が、軸受部４ａ，４ｂの間の略半周に渡って形成されている。このガイド溝１０は、軸受部４ａ，４ｂの軸線方向の幅が縁面に沿って変化するように、２種類のガイド溝１０ａ，１０ｂから構成されている。この場合、内側のガイド溝１０ｂの幅は外側のガイド溝１０ａの幅よりも広くなっており、ガイド溝１０ｂは係止溝として利用されるために、略Ｕ字型に切り欠かれた形状を有している。
【００１７】
図１に示すように、パッド３は、シリコン樹脂等の弾性を有する材料によってリング状に形成されたものであり、その外周面の中央には、周面の縁部に平行に設けられた円形の溝部１１を有している。この溝部１１には、弾性を有する金属線材（例えば金を主成分とする合金）からなるワイヤＷのループ部５ａが嵌め込まれている。この場合、ループ部５ａは、溝部１１の外径とほぼ等しい内径を有しており、溝部１１に嵌め込まれることによりパッド３を保持する役割を果たしている。また、ワイヤＷには、互いに並行してループ部５ａの径方向に延びる首部１２ａ，１２ｂが形成され、それぞれの首部１２ａ，１２ｂには、その末端においてほぼ直角に外側に折り曲げられて軸受部４ａ，４ｂ内に挿入される軸部１３ａ，１３ｂが設けられている。そして、ワイヤＷと装飾体取付金具２の軸受部４ａ，４ｂとガイド溝１０とで、装飾体取付金具２とパッド３とを連結させるための連結部１３を構成する。
【００１８】
以下、図１及び図３を用いて、装飾体取付金具２とワイヤＷとの接続状態について説明する。
【００１９】
装飾体取付金具２の軸受部４ａ，４ｂには、それぞれ、ワイヤＷの軸部１４ａ，１４ｂがガイド溝１０を経由して挿入され、装飾体取付金具２はワイヤＷに対して軸受部４ａ，４ｂの軸線を中心にして回動する。ワイヤＷが軸受部４ａ，４ｂに挿入されると、ワイヤＷの首部１２ａ，１２ｂが、ガイド溝１０ａ，１０ｂ（図２参照）の縁部に弾性力をもって当接する。このとき、ワイヤＷは、互いの首部１２ａ，１２ｂが離れる方向にバネ力を有している。従って、ワイヤＷが装飾体取付金具２に対して回転する際に、ワイヤＷの首部１２ａ，１２ｂを、ガイド溝１０ａ，１０ｂの周方向の縁部に沿って摺動させることができる。
【００２０】
ここで、装飾体取付金具２の遊端側をパッド３から遠ざける方向に最大限に回転させると、ワイヤＷの首部１２ａ，１２ｂは、外側のガイド溝１０ａの両縁部によってガイドされてその位置が保持される（図１参照）。これに対して、装飾体取付金具２の遊端側をパッド３に接近する方向に回転させると、ワイヤＷの首部１２ａ，１２ｂが、ガイド溝１０ａの両縁部からガイド溝１０ｂの両縁部に向けて摺動する。装飾体取付金具２を更にパッド３に接近させて首部１２ａ，１２ｂがガイド溝１０ｂに到達すると、ワイヤＷのバネ力により、首部１２ａ，１２ｂがガイド溝１０ｂの両縁部に沿った状態でガイド溝１０ｂの最深部（Ｕ字型形状の底部）に向けて引き込まれる。その結果、装飾体取付金具２の遊端側がパッド３に向けて付勢され、この状態がイヤリング１の保管状態をなす（図３参照）。
【００２１】
次に、図４及び図５を参照して、イヤリング１の装着前後におけるピン部材６と各部との相対的な位置関係について説明する。
【００２２】
図４は、イヤリング１の耳たぶへの装着前において、ワイヤＷがガイド溝１０ｂの最深部に引き込まれた状態を示している。このイヤリング１のピン部材６には球形の装飾体（例えば真珠）Ｐが取り付けられている。このように、装飾体取付金具２の遊端側がパッド３に接近した状態において、ピン部材６は、パッド３の中心部と軸受部４ａ，４ｂ間の中心部とを結ぶ直線Ａとピン部材６とのなす角θ１が、装飾体取付金具２を開く方向（図の左回り）において鋭角となるように装飾体取付金具２に取り付けられている。
【００２３】
一方、図５は、イヤリング１の耳たぶＥへの装着後において、ワイヤＷがガイド溝１０ｂの傾斜部、すなわちガイド溝１０ｂの最深部とガイド溝１０ａとの間でガイドされたときの状態を示している。同図に示すように、装飾体Ｐは、装飾体取付金具２の凸部８とパッド３との間で耳たぶＥを挟み込むことによって、耳たぶＥの下部に固定される。この場合、連結部１３の弾性力により装飾体取付金具２はパッド３に向けて付勢されているので、装飾体Ｐを耳たぶＥに安定して固定することができる。また、装飾体取付金具２の遊端側が耳たぶＥの厚さに応じてパッド３から遠ざかる方向に回転された状態、すなわちイヤリング１を耳たぶＥの下部に装着した状態において、ピン部材６は、ピン部材６と直線Ａとのなす角θ２が、装飾体取付金具２を開く方向において鈍角になるように装飾体取付金具２に取り付けられている。
【００２４】
以上説明したイヤリング１においては、略Ｌ字型の装飾体取付金具２の遊端側のピン部材６に装飾体Ｐが取り付けられ、その装飾体取付金具２の基端側において、パッド３はワイヤＷを介して回動可能に連結されている。この場合、装飾体取付金具２とパッド３とは、装飾体取付金具２の遊端をパッド３に向けて付勢する連結部１３を介して連結されることになる。このような構成により、装飾体取付金具２を装飾体Ｐに対して小型化した場合であっても、装飾体取付金具２とパッド３とで耳を把持させることができる。従って、人によって耳の形状は異なっているが、そのような場合でも耳の縁部に近い箇所での装飾体Ｐの安定した装着が可能となる。
【００２５】
さらに、ピン部材６は、装飾体取付金具２がパッド３に接近した状態で、パッド３の中心部と連結部１３とを結ぶ直線Ａに対して、開く方向において鋭角になるように取り付けられている。従って、装飾体取付金具２が開いた状態で耳たぶの下部にイヤリング１が装着されると、図５に示すように、ピン部材６が下方に傾くことで、前方Ｆから見た場合に装飾体取付金具２は装飾体Ｐの背後に隠れるようになるので、装飾体Ｐが引き立つことになる。また、装飾体取付金具２の耳の縁部に沿うような形状により、装飾体Ｐの耳への装着時に必要な金具が横からも目立ちにくくなり、装飾体Ｐがより一層引き立つことになる。
【００２６】
このように、イヤリング１においては装飾体Ｐの耳への装着時に必要な金具を前からも横からも目立たなくするという効果を有するが、それと同時に、装飾体Ｐを耳の下端部から下方に向けて装着させることをも可能とする。その結果、装飾体Ｐの南半球（下半分）が耳から下へはみ出すように位置させることができ、耳たぶにピアス用の穴をあけることなく１粒の真珠を耳からはみ出すように装着したいという願望を満たすことができる。
【００２７】
また、装飾体取付金具２に凸部８を有することで、装着時において装飾体取付金具２を耳たぶＥにしっかり固定することができる。しかも、凸部８の傾斜面９を耳たぶＥの下部に圧着して装着させることで、パッド３の中心部と連結部１３とを結ぶ直線Ａに対するピン部材６の開く方向の角度θ２を大きくすることができるので、装飾体取付金具２を装飾体Ｐの背後に、より一層隠すことができる。
【００２８】
さらに、連結部１３を、ワイヤ５の首部１２ａ，１２ｂ及び軸部１４ａ，１４ｂと軸受部４ａ，４ｂとガイド溝１０ａ，１０ｂとで構成することで、連結部でのバネ構造をより簡素化することができる。
【００２９】
また、パッド３は弾性を有する材料によって形成されているので、パッド３と装飾体取付金具２に付勢力を与える連結部１３との協働により、イヤリング１の安定した装着が可能となるとともに、耳への装着感が向上する。
【図面の簡単な説明】
【００３０】
【図１】本発明に係るイヤリングの一実施形態を示す斜視図である。
【図２】図１のイヤリングに適用する装飾体取付金具の斜視図である。
【図３】図１に示したイヤリングの閉じた状態における斜視図である。
【図４】図１に示したイヤリングの装着前における正面図である。
【図５】図１に示したイヤリングの装着後における正面図である。
【符号の説明】
【００３１】
１…イヤリング、２…装飾体取付金具（装飾体取付部）、３…パッド（押圧部）、４ａ，４ｂ…軸受部、６…ピン部材、８…凸部、１０ａ，１０ｂ（１０）…ガイド溝、１３…連結部、Ｗ…ワイヤ、Ｐ…装飾体、Ｅ…耳たぶ。
【図１】
2006094968.tif 000003
【図２】
2006094968.tif 000004
【図３】
2006094968.tif 000005
【図４】
2006094968.tif 000006
【図５】
2006094968.tif 000007